(57)【要約】【課題】  コストダウンのために他の構造物の部品を利用し、この他の構造物の部品に嵌合する専用の操作部材、操作ハンドル部材、作業具を使って組立ることのできる作業機を提供することを課題とする。【解決手段】  作業機７０は、後部フレーム１１の後方に後輪１７を備え、後部フレーム１１の前方の結合部２５に連結した軸４６の下部に備えたドーザ本体支持部４２に結合するドーザ本体４１と、軸４６の上部４７に取付けたライト４８と、後部フレーム１１の上方結合部７１に差込んで取付けたハンドル軸６６と、このハンドル軸６６の上方に設けた操作レバー６２を備えた操作パネル６１及びハンドル部６３と、後部フレーム１１の背中側上部に備えたエンジン１５と、このエンジン１５に備えた主動歯車２６と変速機１６に備えた従動歯車２７を連結する駆動チェーン２８と、変速機１６の歯車２９とスプロケット３１を連結するドライブチェーン３２と、エンジン１５の下方に備えた燃料タンク１８とからなる構造物である。【選択図】      図５
2005299149.tif 000002
【特許請求の範囲】
【請求項１】
車体フレームが前後に分割可能な自動二輪車の駆動源及び後輪を備える後部フレームと、
前記駆動源の操作する操作部材を備え、作業者が操作するために前記後部フレームに取付ける操作ハンドル部材と、
雪掻き作業や農作業などの作業のために前記後部フレームに取付ける作業具と、からなることを特徴とする作業機。  
【発明の詳細な説明】
【技術分野】
【０００１】
本発明は、雪掻き作業や農作業などを行う作業機に関するものである。
【背景技術】
【０００２】
雪掻き作業や農作業などを行う作業機として、大型の乗用作業機、小型の歩行型作業機が各々実用に供されている。
【０００３】
従来の歩行型作業機の一例として歩行型除雪機が知られている（例えば、特許文献１参照。）。
【特許文献１】特開２０００−３４５５２４公報  （第２−３頁、図１）
【０００４】
特許文献１を次図に基づいて説明する。
図６は従来の技術の基本構成を説明する図であり、除雪機１００は機体１０１に搭載したエンジン１０２と、機体１０１の側面に備えた駆動輪１０３と従動輪１０４とに掛渡したクローラ１０５と、機体１０１から後方へ延びたハンドルバー１０６と、このハンドルバー１０６の上方に備えた操作部１０７と、機体１０１から前方へ延びたドーザ本体支持部１０８に備えたドーザ組立体１０９と、スイングアーム１１０とハンドルバー１０６とに掛渡した弾性力発生機構１１１とからなる。
【０００５】
作業者は、除雪機１００の後方に立ち、操作部１０７のエンジンスイッチをＯＮし、ハンドルを持ちながら前進し、操作レバーを用いてドーザ本体支持部１０８に取付けたドーザ組立体１０９を動かしながら、前方に積載した雪をすくい、除雪作業を進める。
【０００６】
以上の除雪機１００の構成部品である機体１０１、エンジン１０２、駆動輪１０３及び従動輪１０４、操作部１０７、ドーザ組立体１０９などは、すべて専用部品である。
したがって、除雪機１００の組立は、他の構造物の部品を導入することができないために製造コストがかかる。
【発明の開示】
【発明が解決しようとする課題】
【０００７】
本発明は、コストダウンのために他の構造物の部品を利用し、この他の構造物の部品に嵌合する専用の操作部材、操作ハンドル部材、作業具を使って組立ることのできる作業機を提供することを課題とする。
【課題を解決するための手段】
【０００８】
請求項１に係る発明は、車体フレームが前後に分割可能な自動二輪車の駆動源及び後輪を備える後部フレームと、
駆動源の操作する操作部材を備え、作業者が操作するために後部フレームに取付ける操作ハンドル部材と、
雪掻き作業や農作業などの作業のために後部フレームに取付ける作業具と、からなることを特徴とする。
【発明の効果】
【０００９】
請求項１に係る発明では、作業機の組立は、自動二輪車の駆動源及び後輪を備える後部フレームを利用して、この後部フレームに、駆動源を操作するための操作部材及び作業機を操作するための操作ハンドル部材を取付け、さらに雪掻き作業や農作業などに利用する作業具を取付けることにより行うことができる。
【００１０】
自動二輪車の駆動源及び後輪を備える後部フレームをそのまま利用するので、作業機のコストは削減させることができる。
以上より、コストダウンのために他の構造物の部品を利用し、この他の構造物の部品に嵌合する専用の操作部材、操作ハンドル部材、作業具を使って組立ることのできる作業機を提供することができる。
【発明を実施するための最良の形態】
【００１１】
本発明を実施するための最良の形態を添付図に基づいて以下に説明する。なお、図面は符号の向きに見るものとする。
図１は本発明の作業機に利用する部品を含む自動二輪車の側面図であり、自動二輪車１０は、後部フレーム１１の前方に設けたヘッドパイプ１２と、このヘッドパイプ１２に連結するフロントフォーク１３と、前輪１４と、後部フレーム１１の上部及び下部に備えたエンジン１５及び変速機１６と、後部フレーム１１の後端部に備えた後輪１７と、エンジン１５に備えた燃料タンク１８と、後部フレーム１１の上部に嵌合したシートパイプ１９に設けたシート２１と、フロントフォーク１３に結合したフレーム２２をボルト２３、２４で後部フレーム１１に連結した結合部２５と、エンジン１５に備えた主動歯車２６と変速機１６に備えた従動歯車２７を連結する駆動チェーン２８と、変速機１６の歯車２９と後輪１７のスプロケット３１を連結するドライブチェーン３２と、からなる。
【００１２】
この自動二輪車１０は、結合部２５でフレーム２２とこのフレーム２２に連結したフロントフォーク１３、前輪１４、ヘッドパイプ１２を切離し、一方、上部結合部３３でシートパイプ１９とこのシートパイプ１９に設けたシート２１を切離すことができる。
そして、これらの部品を切離して残った後部フレーム１１、エンジン１５、変速機１６、後輪１７、燃料タンク１８、主動歯車２６、従動歯車２７、駆動チェーン２８、歯車２９、スプロケット３１、ドライブチェーン３２などは、本発明の作業機に利用することができる。
【００１３】
図２は本発明の作業機に利用する自動二輪車利用部品の側面図であり、自動二輪車利用部品３４は、後部フレーム１１の上部及び下部に備えたエンジン１５及び変速機１６と、後部フレーム１１の後端部に備えた後輪１７と、エンジン１５に備えた燃料タンク１８と、エンジン１５に備えた主動歯車２６と変速機１６に備えた従動歯車２７を連結する駆動チェーン２８と、変速機１６の歯車２９と後輪１７のスプロケット３１を連結するドライブチェーン３２と、からなる構造物である。
【００１４】
図３は作業機に備える作業具の一例及びその近傍の部品を結合した側面図であり、ドーザ及びライト結合体４０は、ドーザ本体４１をドーザ本体支持部４２にボルト４３、４４、４５で結合し、このドーザ本体支持部４２を結合した軸４６の上部４７に設けたライト４８と、軸４６に結合した側板４９と、この側板４９を別体物に取付けるためのボルト５１、５２と、また、結合部２５を別体物に取付けるためのボルト５３、５４とからなる構造物である。
【００１５】
なお、作業機に備える作業具は、図３ではドーザ本体４１を取付けたが、その他、除雪作業を行うためのオーガ装置を備えたものや、芝刈り作業を行うための装置を備えたものなどであっても良い。
【００１６】
図４は本発明に係る作業機の操作部の側面図であり、操作パネル及びハンドル結合体６０は、操作パネル６１に設けた操作レバー６２と、ハンドル部６３のハンドル６４及びレバー６５と、ハンドル軸６６と、ハンドル軸６６に操作パネル６１及びレバー６５を取付けるボルト６７、６８とからなる構造物である。
【００１７】
なお、これら操作部は、操作機能を十分に満足する構成であれば良く、操作パネル６１や操作レバー６２、ハンドル６４やレバー６５などの細かな形状を変更しても差し支えない。
【００１８】
図５は本発明に係る作業機の側面図であり、作業機７０は、図２、図３、図４の自動二輪車利用部品３４、ドーザ及びライト結合体４０、操作パネル及びハンドル結合体６０を組合わせて構成する構造物である。
これら自動二輪車利用部品３４、ドーザ及びライト結合体４０、操作パネル及びハンドル結合体６０の各々の構成は、図２、図３、図４で説明したのでここでは説明を省略する。
【００１９】
作業機７０の組立は、自動二輪車利用部品３４の後部フレーム１１の結合部２５で、ドーザ及びライト結合体４０をボルト５３、５４を使って結合し、一方、後部フレーム１１の上方結合部７１に操作パネル及びハンドル結合体６０のハンドル軸６６を挿入して嵌合することにより行うことができる。
また、ドーザ及びライト結合体４０の側板４９は、図示しないが、ボルト５１及び５２を用いて後部フレーム１１の周辺部で固定する。
【００２０】
自動二輪車の駆動源及び後輪１７を備える後部フレーム１１をそのまま利用するので、作業機７０のコストは削減させることができる。
以上より、コストダウンのために他の構造物の部品を利用し、この他の構造物の部品に嵌合する専用の操作部材、操作ハンドル部材、作業具を使って組立ることのできる作業機を提供することができる。
【００２１】
尚、本発明の作業機の製造の際に利用する自動二輪車利用部品３４の構造は、駆動源及び後輪１７、後部フレーム１１を備えていれば良く、細かな形状や大きさなどを限定するものではない。
後輪１７、後部フレーム１１の数量は一つに限定するものではなく、複数個あっても差し支えない。
【００２２】
また、後部フレーム１１と、ドーザ及びライト結合体４０及び操作パネル及びハンドル結合体６０との結合方法は、ボルト結合や挿入による嵌合に限定するものではなく、別の方法を用いても差し支えない。
さらに、作業機７０は座席を備えた着座仕様の物でも良い。
【産業上の利用可能性】
【００２３】
本発明は、雪掻き作業や農作業などを行う作業機に好適である。
【図面の簡単な説明】
【００２４】
【図１】本発明の作業機に利用する部品を含む自動二輪車の側面図である。
【図２】本発明の作業機に利用する自動二輪車利用部品の側面図である。
【図３】作業機に備える作業具の一例及びその近傍の部品を結合した側面図である。
【図４】本発明に係る作業機の操作部の側面図である。
【図５】本発明に係る作業機の側面図である。
【図６】従来の技術の基本構成を説明する図である。
【符号の説明】
【００２５】
１０…自動二輪車  、１１…後部フレーム  、１５…エンジン  、１６…変速機  、１７…後輪  、１８…燃料タンク  、２６…主動歯車  、２７…従動歯車  、２８…駆動チェーン  、２９…歯車  、３１…スプロケット  、３２…ドライブチェーン  、３４…自動二輪車利用部品  、４０…ドーザ及びライト結合体  、４１…ドーザ本体  、４８…ライト  、６０…操作パネル及びハンドル結合体  、７０…作業機。
【図１】
2005299149.tif 000003
【図２】
2005299149.tif 000004
【図３】
2005299149.tif 000005
【図４】
2005299149.tif 000006
【図５】
2005299149.tif 000007
【図６】
2005299149.tif 000008